(57)【要約】      （修正有）【課題】クリップの球軸と接続部との接続によって、ユーザは、角度による制限を受けず、角度を調整できる自動車用芳香剤容器セットを提供する。【解決手段】容器本体１０、遮蔽部材２０及びクリップ３０を備える自動車用芳香剤容器セット１００であって、容器本体１０は、収納空間１１を有し、容器本体１０の片側に複数の通気孔１２及び接続部が設けられる。複数の通気孔１２は接続部の周囲を取り囲むように設置される。遮蔽部材２０は、容器本体１０の複数の通気孔１２側に枢転可能に設置され、容器本体１０の複数の通気孔１２に対応する複数の遮蔽孔を有する。クリップ３０は、両端にそれぞれ挟持端部、及び接続部内に設置されている球軸を有する。【選択図】図１
0003222316.tif 000002
【実用新案登録請求の範囲】
【請求項１】
収納空間を有し、複数の通気孔及び接続部が設けられる容器本体と、
前記容器本体の前記複数の通気孔側に枢転可能に設置され、前記複数の通気孔に対応する複数の遮蔽孔を有する遮蔽部材と、
両端にそれぞれ挟持端部、及び前記接続部内に設置されている球軸を有するクリップと、
を備える、自動車用芳香剤容器セット。
【請求項２】
前記容器本体に観察窓が設けられる、請求項１に記載の自動車用芳香剤容器セット。
【請求項３】
前記接続部は少なくとも１つの係止溝を有し、
前記クリップは前記係止溝に係止される係止部を有する、
請求項２に記載の自動車用芳香剤容器セット。
【請求項４】
前記複数の通気孔は前記接続部の周囲を取り囲む、請求項３に記載の自動車用芳香剤容器セット。
【請求項５】
前記収納空間内に芳香剤が設けられる、請求項４に記載の自動車用芳香剤容器セット。
【請求項６】
前記芳香剤は、透明ケース、及び前記透明ケースの外側を覆う密封フィルムを有する密封構造内に設置される、請求項５に記載の自動車用芳香剤容器セット。
【請求項７】
前記接続部の内部輪郭と前記球軸の外部輪郭は互いに対応する、請求項６に記載の自動車用芳香剤容器セット。
【考案の詳細な説明】
【技術分野】
【０００１】
本考案は、自動車用の芳香剤容器セット、特に、あらゆる角度のエアコン送風口に設置できる芳香剤容器セットに関する。
【背景技術】
【０００２】
芳香器は、内部に芳香剤を搭載し、エアコン送風口前に設置され、エアコン送風口から吹き出す空気により、芳香器内の香りを発揮させて空気中に充満させる装置である。室内用エアコン又は自動車用エアコン、扇風機の前に設置することで、リラックスできる空間を作る。
【考案の概要】
【考案が解決しようとする課題】
【０００３】
従来の芳香器は、エアコン送風口のフィルターに挟んで設置するが、エアコン送風口によりエアコン送風口のフィルターの角度も全く異なる。市販の芳香器は、様々な異なる角度のフィルターに応じ挟んで設置することができない。よって、消費者は使用できない商品を購入してしまい、返品しなければならない。このような欠点を改善する必要があった。
【０００４】
本考案の目的は、あらゆる角度のエアコン送風口に設置できる芳香剤容器セットを提供することにある。
【課題を解決するための手段】
【０００５】
本考案は、容器本体、遮蔽部材及びクリップを備える自動車用芳香剤容器セットを提供する。前記容器本体は、収納空間を有し、容器本体の片側に複数の通気孔及び接続部が設けられる。前記複数の通気孔は接続部の周囲を取り囲むように設置される。前記収納空間内に芳香剤が設けられる。本考案の実施例において、芳香剤は、透明ケース、及び透明ケースの外側を覆う密封フィルムを有する密封構造内に設置される。
【０００６】
前記遮蔽部材は、容器本体の複数の通気孔側に枢転可能に設置され、容器本体の複数の通気孔に対応する複数の遮蔽孔を有する。前記クリップは、両端にそれぞれ挟持端部、及び接続部内に設置されている球軸を有する。前記実施例において、接続部の内部輪郭と球軸の外部輪郭は互いに対応する。
【０００７】
遮蔽部材の複数の遮蔽孔が容器本体の複数の通気孔に対応する場合、芳香剤気体は通気孔及び遮蔽孔を通り抜けて発散する。芳香気体を必要としない、又は芳香剤が発散する芳香気体量を調整したい場合、遮蔽部材を回転して、遮蔽孔を有さない部分を容器本体の複数の通気孔に当接することで、芳香剤気体発散量を低下できる。
【０００８】
特筆すべきことは、前記クリップは、その球軸で接続部と接続し、前記球軸の輪郭と前記接続部の輪郭が互いに対応することにある。よって、ユーザは角度を調整できる。
【０００９】
本考案の実施例において、前記容器本体における複数の通気孔の反対側に観察窓が設けられる。それによって、収納空間内に設置される芳香剤残量を観察でき、芳香剤を適切に交換できる。しかし、観察窓の開設位置は、前記実施例に限定されず、必要により設計を変更できる。
【００１０】
本考案の実施例において、前記接続部に少なくとも１つの係止溝を有する。クリップを特定の位置まで回転させた時、クリップの係止部が接続部の係止溝により係り止められるため、クリップを固定できる。
【考案の効果】
【００１１】
本考案は、球軸を有するクリップと接続部との接続によって、ユーザは、角度による制限を受けず、角度を調整できる。また、自動車のエアコン送風口又はファンに簡便に設置できるため、実用性が高く、便利に使用できる。
【図面の簡単な説明】
【００１２】
【図１】本考案の実施例を示す斜視図である。
【図２】本考案の実施例を示す分解斜視図である。
【図３】本考案の実施例を示す模式図である。
【図４Ａ】本考案の実施例において、遮蔽部材を回転した場合を示す模式図である。
【図４Ｂ】本考案の実施例において、遮蔽部材を回転した場合を示す模式図である。
【図４Ｃ】本考案の実施例において、遮蔽部材を回転した場合を示す模式図である。
【図５】本考案の実施例において、クリップによる係止を示す模式図である。
【考案を実施するための形態】
【００１３】
以下、当業者が本明細書を参考した上、本考案を実行できるように、図面及び符号を用いて本考案を実施するための形態を詳しく説明する。
【００１４】
図１、図２は、それぞれ、本考案の実施例の自動車用芳香剤容器セット１００を示す斜視図及び分解斜視図である。図１、図２に示すように、本考案は、容器本体１０、遮蔽部材２０及びクリップ３０を備える自動車用芳香剤容器セット１００を提供する。以下、各部品について詳しく説明する。
【００１５】
前記容器本体１０は、芳香剤４０（図３に示す）を収納するための収納空間１１を有し、容器本体１０の片側に接続部１３（図４Ａに示す）及び複数の通気孔１２が設けられる。前記複数の通気孔１２は、芳香剤４０（図３に示す）の芳香気体を通り抜けて発散するために用いられる。
【００１６】
本考案の実施例において、前記複数の通気孔１２は接続部１３の周囲を取り囲むように設置される。接続部１３は下記クリップ３０と接続される。クリップ３０をエアコン又は送風口のフィルターに挟んで設置する場合、エアコン又は送風口から吹き出した気体は、そのまま複数の通気孔１２に入り芳香剤４０の芳香気体を発散する。
【００１７】
本考案の実施例において、前記容器本体１０における複数の通気孔１２の反対側に、収納空間１１に設置される芳香剤４０の残量を観察するための観察窓１４が設けられるため、芳香剤４０を適切に交換できる。しかし、観察窓１４の開設位置は、前記実施例に限定されず、芳香剤４０の残量を観察できるよう、必要により設計を変更できる。
【００１８】
前記遮蔽部材２０は、容器本体１０の複数の通気孔１２側に設置される。遮蔽部材２０は、枢転用孔２１及び凸出部２３を有する。前記枢転用孔２１は、容器本体１０の接続部１３に枢転可能に取り付けられる。遮蔽部材２０は、容器本体１０の複数の通気孔１２に対応する複数の遮蔽孔２２を有する。気体は通気孔１２及び遮蔽孔２２を通って出入りできる。
【００１９】
前記クリップ３０は、両端にそれぞれ挟持端部３１、及び接続部１３に設置されている球軸３２を有する。接続部１３の内部輪郭は、球軸３２の外部輪郭と対応する球状凹部である。よって、球軸３２と接続部１３を接続する場合、クリップ３０を自由に回転できる。異なる角度を有するエアコン又は送風口のフィルターに対応するよう、様々な角度調整を行うことができる。
【００２０】
図３は、本考案の実施例を示す模式図である。図３に示すように、前記収納空間１１内に芳香剤４０が設けられる。前記芳香剤４０は、透明ケース４１、及び前記透明ケース４１の外側を覆う密封フィルム４２を有する密封構造に設置される。使用する際に、密封フィルム４２を矢印方向に剥がすことで、本考案の自動車用芳香剤容器セット１００をクリップ３０によりエアコン又は送風口のフィルターに挟んで設置する。それによって、本考案の設置を完成する。
【００２１】
エアコン又は送風口から気体が吹き出した場合、気体は、遮蔽孔２２、通気孔１２を順に通って芳香剤４０に入り、芳香剤４０の芳香気体は通気孔１２及び遮蔽孔２２を通って吹き出す。よって、芳香気体を迅速、効率的に発散できる。
【００２２】
図４Ａ〜４Ｃは、それぞれ本考案の実施例において、遮蔽部材２０を回転した場合を示す模式図である。本考案の自動車用芳香剤容器セット１００を装着する前に、ユーザは、遮蔽部材２０を調整することによって、芳香気体発散量を調整できるか、芳香気体を発散しないように調整できる。
【００２３】
具体的に、芳香気体を発散したい場合、遮蔽部材２０の凸出部２３を図４Ａが示す位置まで回転し、遮蔽部材２０の遮蔽孔２２を容器本体１０の通気孔１２に対応させることで、芳香剤４０の芳香気体を発散させる。芳香気体を薄めたい場合、図４Ｂに示すように、凸出部２３を矢印方向に沿って移動し、遮蔽部材２０の遮蔽孔２２を有さない部分を容器本体１０の通気孔１２に当接することで、芳香剤４０の気体発散を低減できる。しかし、芳香気体を発散させたくない場合、図４Ｃに示すように、凸出部２３を矢印方向に沿って端部まで回転させ、遮蔽部材２０の遮蔽孔２２を有さない部分で容器本体１０の通気孔１２を完全に遮る。
【００２４】
調整した遮蔽部材２０の移動を防止するために、本考案の実施例において、前記遮蔽部材２０は、固定部２４をさらに有する。また、前記容器本体は、固定部２４に対応する固定凹部１５、１６、１７を有する。前記固定凹部１５、１６、１７は、遮蔽部材２０が異なる角度まで回転した位置に基づいて設置できる。
【００２５】
具体的に、図４Ａ〜４Ｃに示すように、遮蔽孔２２が通気孔１２と完全に重なる場合、固定部２４は固定凹部１５に係止される。遮蔽孔２２が通気孔１２と部分的に重なる場合、固定部２４は固定凹部１６に係止される。遮蔽孔２２が通気孔１２と完全に重ならない場合、固定部２４は固定凹部１７に係止される。
【００２６】
また、本考案の実施例において、前記接続部１３は２つの係止溝１３１、１３２を有する。図５に示すように、クリップ３０を特定の位置まで回転した場合、クリップ３０の係止部３３は接続部１３の係止溝１３１、１３２に係止される。図５は、本考案の実施例において、クリップによる係止を示す模式図である。前記構成によって、固定する機能を達成できる。本考案の実施例において、前記係止溝１３１、１３２は接続部１３の縦方向の両端に設置されるが、係止溝１３１、１３２の設置位置は、前記実施例に限定されず、必要により設計を変更できる。
【００２７】
遮蔽部材２０を容器本体１０の通気孔１２を遮る状態まで回転した場合、芳香気体の発散を減少する機能を達成できる上、芳香剤４０の揮発を防止する機能を達成できる。また、本考案の芳香剤４０が密封構造の透明ケース４１に設置されるため、容器本体１０の観察窓１４から芳香剤４０の残量を観察でき、芳香剤を事前に購入、交換できる。
【００２８】
本考案の自動車用芳香剤容器セットは、クリップと接続部とを接続する構造となり、前記クリップが球軸を有し、前記接続部の内部輪郭が前記球軸の外部輪郭に対応する。このような構造によれば、ユーザは、角度による制限を受けず、角度を調整できる。また、自動車又は住居のエアコン又はファンに簡単に設置され、実用性が高く、便利に使用できるため、本考案の目的を達成できる。
【００２９】
上記実施例から分かるように、本考案の自動車用芳香剤容器セットは産業上の利用可能性を有する。上記内容は、あくまで本考案の実施例の説明である。当業者は、本明細書の内容に基づいて他の各種の改良を実施できる。しかしながら、当該改良も、本考案の精神、及び下記特許の請求範囲に含まれるものである。
【符号の説明】
【００３０】
１０…容器本体、１１…収納空間、１２…通気孔、１３…接続部、１３１、１３２…係止溝、１４…観察窓、１５、１６、１７…固定凹部、２０…遮蔽部材、２１…枢転用孔、２２…遮蔽孔、２３…凸出部、２４…固定部、３０…クリップ、３１…挟持端部、３２…球軸、３３…係止部、４０…芳香剤、４１…透明ケース、４２…密封フィルム、１００…自動車用芳香剤容器セット。
【図１】
0003222316.tif 000003
【図２】
0003222316.tif 000004
【図３】
0003222316.tif 000005
【図４Ａ】
0003222316.tif 000006
【図４Ｂ】
0003222316.tif 000007
【図４Ｃ】
0003222316.tif 000008
【図５】
0003222316.tif 000009